(57)【特許請求の範囲】
【請求項１】
通信回線に接続された計測機器の設定を行う方法において、
設定を行うためのアドレスを入力する工程と、
前記入力されたアドレスを保存すると共に、計測機器と通信を行い、前記入力されたアドレスを前記計測機器に設定する工程と、
アドレスを設定された計測機器がこのアドレスを有効にする措置が完了するまで待つ工程と、
前記アドレスを有効にする措置が完了すると、保存されたアドレスを用いて前記計測機器に再接続する工程と、
再接続が完了すると、前記計測機器に設定する設定値を入力する工程と、
前記計測機器と通信を行い、前記入力された設定値を前記計測機器に設定する工程と、
を具備し、前記計測機器に設定する設定値を入力する工程で、前記アドレスを入力する工程に移行できるようにしたことを特徴とする計測機器の設定方法。
【請求項２】
前記計測機器との通信が切断された後、再接続が成功するまで保存されたアドレスで再接続を試みるようにしたことを特徴とする請求項１記載の計測機器の設定方法。
【請求項３】
前記アドレスを設定するためのアドレスを入力し、このアドレスを前記計測機器に設定する工程を具備したことを特徴とする請求項１若しくは請求項２に記載の計測機器の設定方法。
【請求項４】
ホストコンピュータと計測機器が通信回線で接続され、このホストコンピュータが前記計測機器の設定を行い、また計測機器が計測したデータを収集する計測システムにおいて、
前記ホストコンピュータに配置され、計測機器に設定を行うアドレスが入力されると、このアドレスを出力した後、そのアドレスが有効になるまで待ち、アドレスが有効になって前記計測機器への再接続が完了すると、入力された設定値を出力する設定部と、
前記ホストコンピュータに配置され、前記設定部が出力したアドレスを記憶するアドレス記憶部と、
前記ホストコンピュータに配置され、前記設定部が出力したアドレスを計測機器に設定して、このアドレスを有効にする措置が完了すると前記アドレス記憶部に格納されたアドレスを用いて前記計測機器に再接続し、再接続が完了すると前記設定部が出力した設定値を前記計測機器に設定する通信部と、
を具備し、前記設定部は、前記計測機器に設定する設定値を入力する段階で、アドレスを入力できるようにしたことを特徴とする計測システム。
【請求項５】
前記通信部は、前記計測機器との通信が切断された後、再接続が成功するまで、前記アドレス記憶部に保存されたアドレスを用いて前記計測機器との再接続を試みるようにしたことを特徴とする請求項４記載の計測システム。
【請求項６】
前記設定部には、前記アドレスを設定するためのアドレスが入力され、前記通信部はこのアドレスを設定するためのアドレスを前記計測機器に設定するようにしたことを特徴とする請求項４若しくは請求項５に記載の計測システム。
【発明の詳細な説明】
【技術分野】
【０００１】
本発明は、計測機器とこの計測機器を制御するホストコンピュータを含む計測システムにおいて、このホストコンピュータから計測機器の各種設定を行うことができる計測機器の設定方法およびこれを用いた計測システムに関するものである。
【背景技術】
【０００２】
計測システムは、ホストコンピュータと計測機器を通信回線で接続し、このホストコンピュータを操作することにより、計測機器の設定、制御およびデータ収集を行うことができるシステムである。このような計測システムでは、計測機器に固有のアドレスを設定し、このアドレスを用いて機器の設定を行う。
【０００３】
このような計測システムにおいて、ホストコンピュータから計測機器の設定を行う構成を図５に示す。図５において、１０は計測機器のアドレスを設定するアドレス設定アプリケーションであり、設定部１０ａおよび通信部１０ｂで構成されている。１１はアドレス以外の各種設定を行うアプリケーションであり、設定部１１ａおよび通信部１１ｂで構成されている。これらアドレス設定アプリケーション１０、各種設定アプリケーション１１はホストコンピュータ上で動作する。通信部１０ｂ、１１ｂは計測機器１２と通信を行う。
【０００４】
図６フローチャートは、アドレス設定アプリケーション１０、各種設定アプリケーション１１を用いて計測機器１２の設定を行う動作を表したものである。図６において、最初に工程（Ｐ６−１）で、ユーザはアドレス設定アプリケーション１０を起動し、設定部１０ａを用いて計測機器１２のアドレスを入力する。アドレスが入力されると、工程（Ｐ６−２）で通信部１０ｂは計測機器１２と通信を行い、そのアドレスを設定あるいは変更する。アドレスが設定／変更されると、ユーザはアドレス設定アプリケーション１０を終了させる。計測機器１２は設定／変更したアドレスを有効にするための措置を行う。この措置の一例として、計測機器１２の初期化、あるいは再起動がある。以降、このアドレスを用いて他の設定を行う。
【０００５】
次に、工程（Ｐ６−４）でユーザは各種設定アプリケーション１１を起動し、設定部１１ａを用いて他の各種設定値を入力する。入力が終了すると、工程（Ｐ６−５）で通信部１１ｂは設定対象計測機器１２と通信を行い、この計測機器１２の設定を変更する。
【０００６】
アドレス設定アプリケーション１０と各種設定アプリケーション１１は互いに独立かつ排他的な関係がある。そのため、これらのアプリケーションで用いる通信の通信方式は異なった方式を用いなければならない。例えば、イーサネット（登録商標）では、アドレス設定アプリケーション１０はＵＤＰ(User Datagram Protocol)通信を用い、各種設定アプリケーション１１はＴＣＰ(Transmission Control Protocol)通信を用いるようにする。
【特許文献１】特開２００３−１２１４７１号公報
【発明の開示】
【発明が解決しようとする課題】
【０００７】
しかしながら、このような計測システムには次のような課題があった。図５に示すようにアドレスはアドレス設定アプリケーション１０を用いて設定し、その他の設定は各種設定アプリケーション１１を用いて設定しなければならない。また、これらのアプリケーションは異なる通信方式で計測機器と通信しなければならない。さらに、アドレスを変更すると、計測機器との通信が切断されてしまう。そのため、各種設定を行っているときにアドレスを変えなければならなくなっても、アドレスを変更することができないという課題があった。
【０００８】
また、アドレス設定と各種設定では異なる通信方式を用いなければならないので、ＲＳ２３２通信のように、通信方式が１種類しかない通信を用いるときは、ホストコンピュータから変更できるのは各種設定のみであり、アドレスを変更することができないという課題もあった
【０００９】
さらに、アドレス設定アプリケーション１０で設定するアドレスは、各種設定アプリケーション１１が用いるアドレスである。このアドレス設定アプリケーション１０が用いるアドレスを変更することができないという課題もあった。このアドレスを変更できるようにするためには別途設定アプリケーションが必要になり、構成が複雑になってしまうという課題もあった。
【００１０】
従って本発明の目的は、アドレス設定と各種設定を１つのアプリケーションで行うことができるようにすることにより、各種設定の途中でアドレスを変更することができ、かつ１つの通信方式でこれらの設定を行うことができる計測機器の設定方法およびこれを用いた計測システムを提供することにある。
【課題を解決するための手段】
【００１１】
このような課題を解決するために、本発明のうち請求項１記載の発明は、
通信回線に接続された計測機器の設定を行う方法において、
設定を行うためのアドレスを入力する工程と、
前記入力されたアドレスを保存すると共に、計測機器と通信を行い、前記入力されたアドレスを前記計測機器に設定する工程と、
アドレスを設定された計測機器がこのアドレスを有効にする措置が完了するまで待つ工程と、
前記アドレスを有効にする措置が完了すると、保存されたアドレスを用いて前記計測機器に再接続する工程と、
再接続が完了すると、前記計測機器に設定する設定値を入力する工程と、
前記計測機器と通信を行い、前記入力された設定値を前記計測機器に設定する工程と、
を具備し、前記計測機器に設定する設定値を入力する工程で、前記アドレスを入力する工程に移行できるようにしたものである。アドレス設定と各種設定を一連の作業として実行でき、かつ各種設定の途中でアドレス設定を行うことができる。
【００１３】
請求項２記載の発明は、請求項１記載の発明において、
前記計測機器との通信が切断された後、再接続が成功するまで保存されたアドレスで再接続を試みるようにしたものである。自動的に再接続ができる。
【００１４】
請求項３記載の発明は、請求項１若しくは請求項２に記載の発明において、
前記アドレスを設定するためのアドレスを入力し、このアドレスを前記計測機器に設定する工程を具備したものである。アドレス設定のためのアドレスを同じアプリケーションで設定できる。
【００１５】
請求項４記載の発明は、
ホストコンピュータと計測機器が通信回線で接続され、このホストコンピュータが前記計測機器の設定を行い、また計測機器が計測したデータを収集する計測システムにおいて、
前記ホストコンピュータに配置され、計測機器に設定を行うアドレスが入力されると、このアドレスを出力した後、そのアドレスが有効になるまで待ち、アドレスが有効になって前記計測機器への再接続が完了すると、入力された設定値を出力する設定部と、
前記ホストコンピュータに配置され、前記設定部が出力したアドレスを記憶するアドレス記憶部と、
前記ホストコンピュータに配置され、前記設定部が出力したアドレスを計測機器に設定して、このアドレスを有効にする措置が完了すると前記アドレス記憶部に格納されたアドレスを用いて前記計測機器に再接続し、再接続が完了すると前記設定部が出力した設定値を前記計測機器に設定する通信部と、
を具備し、前記設定部は、前記計測機器に設定する設定値を入力する段階で、アドレスを入力できるようにしたものである。アドレス設定と各種設定を一連の作業として実行でき、かつ各種設定の途中でアドレス設定を行うことができる。
【００１７】
請求項５記載の発明は、請求項４記載の発明において、
前記通信部は、前記計測機器との通信が切断された後、再接続が成功するまで、前記アドレス記憶部に保存されたアドレスを用いて前記計測機器との再接続を試みるようにしたものである。自動的に再接続ができる。
【００１８】
請求項６記載の発明は、請求項４若しくは請求項５に記載の発明において、
前記設定部には、前記アドレスを設定するためのアドレスが入力され、前記通信部はこのアドレスを設定するためのアドレスを前記計測機器に設定するようにしたものである。アドレス設定のためのアドレスを同じアプリケーションで設定できる。
【発明の効果】
【００１９】
以上説明したことから明らかなように、本発明によれば次のような効果がある。
請求項１，２、３、４、５および６の発明によれば、アドレスを設定した後このアドレスを有効にする措置を行い、アドレスが有効になるまで待ってから再接続して各種設定を行うようにした。
【００２０】
各種設定を行うアドレス設定と各種設定を１つのアプリケーションで行うことができる。そのため、アプリケーションを切り換えるという煩わしさがなくなるという効果がある。また、１つのアプリケーションでアドレスと各種設定を行うことができるので、通信方式が１つしかないＲＳ２３２通信のような通信を用いた場合でも、通信回線を経由してアドレス設定ができるという効果がある。
【００２１】
また、アドレス設定と各種設定を１つのアプリケーションで行うので、各種設定の途中でアドレス設定に戻ることができ、かつ計測機器との再接続を自動的に行うようにすることもできる。さらに、アドレス設定のためのアドレスを設定するようにすることもできるという効果もある。
【発明を実施するための最良の形態】
【００２２】
以下本発明を図面を用いて本発明を詳細に説明する。なお、本発明の計測システムは、少なくとも１台の計測機器とホストコンピュータが通信回線で接続された構成を具備し、このホストコンピュータが通信回線を介して計測機器の設定等を行い、また計測機器が収集したデータをホストコンピュータに集積するシステムである。
【００２３】
図１は本発明に係る計測システムを構成する計測機器の設定を行う計測機器設定アプリケーションの構成図である。この計測機器設定アプリケーションはソフトウエアで構成され、ホストコンピュータ上で動作する。なお、図５と同じ要素には同一符号を付し、説明を省略する。
【００２４】
図１において、計測機器設定アプリケーション２０は設定部２１、通信部２２、およびアドレス記憶部２３で構成されている。設定部２１は、ユーザの操作により入力されたアドレスまたは各種設定値を通信部２２に出力する。通信部２２は計測機器１２と通信してこの計測機器のアドレスまたは各種設定値を設定／変更すると共に、設定部２１から送られてきた設定値がアドレスのときは、そのアドレスをアドレス記憶部２３に記憶させる。アドレス記憶部２３はメモリあるいはファイルである。
【００２５】
次に、図２に基づいて計測機器設定アプリケーション２０の動作を説明する。図２は計測機器設定アプリケーションの動作を示す動作図である。なお、図１と同じ要素には同一符号を付し、説明を省略する。図２において、工程（Ｓ２−１）で設定部２１は図示しない表示部にアドレス入力画面を表示し、ユーザはこの画面を用いて、計測機器の各種設定を行うためのアドレスを入力する。設定部２１は入力されたアドレスを通信部２２に出力する。通信部２２は計測機器１２と通信を行い、この計測機器１２のアドレスを設定／変更する。そして、行程（Ｓ２−２）で、計測機器１２はこの設定／変更されたアドレスを有効にする措置を実行する。このアドレスを有効にする措置には計測機器１２の再起動や初期化が含まれるが、これに限定されることはない。要は、設定／変更されたアドレスが有効になる措置であればよい。なお、このアドレスを有効にする措置を行うと、計測機器設定アプリケーション２０と計測機器１２間の通信は切断される。
【００２６】
ユーザは計測機器１２の状態を監視し、アドレスを有効にする措置が完了すると、この措置が完了したことを設定部２１に入力する（工程（Ｓ２−３））。続いて、工程（Ｓ２−４）でユーザはアドレス変更のみで処理を完了するのか、あるいは引き続いて各種設定を行う（処理継続）かどうかを設定部２１に通知する。この行程（Ｓ２−３）と（Ｓ２−４）は実際には１つの作業として行われる。すなわち、ユーザが処理継続の要否を入力することによって、設定部２１はアドレスが有効になったことを知る。処理継続であると、設定部２１は通信部２２に再接続を指示し、この指示によって通信部２２は計測機器１２に再接続する。
【００２７】
工程（Ｓ２−５）で再接続が完了すると、通信部２２は設定部２１に再接続が完了したことを通知する。設定部２１は表示部に各種設定値入力のための画面を表示する。工程（Ｓ２−６）で、ユーザは各種設定値を入力する。設定部２１は入力された各種設定値を通信部２２に出力し、通信部２２は計測機器１２と通信して、この計測機器１２の設定値を設定あるいは変更する。
【００２８】
次に、図３フローチャートを用いて計測機器設定アプリケーションの動作を詳細に説明する。なお、図３ではアドレスを変更する場合について説明するが、アドレスを設定する場合も動作はほぼ同じである。図３において、工程（Ｐ３−１）で表示部２１は各種設定で用いるアドレスを入力するための画面を表示部（図示せず）に表示し、ユーザはこの画面を用いてアドレスを入力する。
【００２９】
アドレス入力が終了すると、工程（Ｐ３−２）で設定部２１は「アドレス変更中」を表示すると共に、工程（Ｐ３−３）で入力されたアドレスを通信部２２に出力する。工程（Ｐ３−４）で通信部２２は計測機器１２と通信を行い、そのアドレスを変更する。また、このアドレスをアドレス記憶部２３に記憶させる（行程（Ｐ３−４））。アドレスが変更されると、計測機器１２は変更されたアドレスを有効にする措置を実行する。このとき、計測機器１２と通信部２２間の通信は切断される（行程（Ｐ３−５））。アドレスを有効にする措置には、計測機器１２の初期化や再起動などがある。
【００３０】
行程（Ｐ３−６）で、ユーザはアドレス変更のみで処理を完了するか、または処理を継続するかどうかをキーボード等で入力し、設定部２１に通知する。通常、ユーザは計測機器１２を監視し、アドレス変更が完了したことを確認した後、この入力を行う。
【００３１】
行程（Ｐ３−７）で設定部２１はユーザの入力を判断し、処理継続であると工程（Ｐ３−８）で通信部２２に計測機器１２との再接続を指示する。このときアドレス記憶部２３からアドレスを読み出し、このアドレスを通信部２２に出力する。通信部２２はこの指示に従い、入力されたアドレスを用いて計測機器１２と再接続する。処理を続行しない場合は、終了する。
【００３２】
工程（Ｐ３−９）で再接続に成功すると、工程（Ｐ３−１０）で設定部２１は各種設定のための画面を表示し、ユーザは各種設定の設定値を入力する。各種設定には、計測機器１２のレンジなど計測条件の設定がある。各種設定値の入力が終了すると、工程（Ｐ３−１１）で設定部２１は入力された設定値を通信部２２に出力し、通信部２２は工程（Ｐ３−１２）で計測機器１２と通信を行い、入力された設定値を計測機器１２に設定して終了する。工程（Ｐ３−９）で再接続に失敗すると、工程（Ｐ３−２）に戻る。すなわち、設定部２１は再度「アドレス変更中」の表示を行い、ユーザは処理を継続するかどうかを入力する。
【００３３】
なお、本実施例ではアドレス設定と各種設定を同じアプリケーションで実行しているので、図示していないが、工程（Ｐ３−１０）の各種設定値の入力時に工程（Ｐ３−１）に戻って再度アドレスを入力することもできる。このため、計測機器設定アプリケーションを終了しなくても、アドレスを再度変更することもできる。また、１つの計測機器設定アプリケーションでアドレスと各種設定の両方を行うことができるので、ＲＳ２３２通信のように１つの通信方式しか持たないものでも、アドレスと各種設定値の両方を設定することができる。
【００３４】
また、各種設定を行うためのアドレスを設定するときに用いるアドレスを変更する工程を追加することも簡単にできる。この場合は、工程（Ｐ３−１）の前に工程（Ｐ３−１）〜（Ｐ３−６）と同じ工程を追加し、この追加した工程でアドレス設定に用いるアドレスを変更するようにすればよい。
【００３５】
図４に本発明の他の実施例を示す。図３実施例では計測機器１２のアドレス変更が完了した時点で計測機器１２と再接続するようにしたが、この実施例では再接続の工程を自動化したものである。なお、図３と同じ要素には同一符号を付し、説明を省略する。また、行程（Ｐ３−１）から（Ｐ３−５）まで、行程（Ｐ３−１０）から（Ｐ３−１２）までは図３と同じなので、説明を省略する。
【００３６】
図４において、工程（Ｐ３−２）で設定部２１が「アドレス変更中」の表示を行うと、ユーザはアドレス変更でのみで処理を完了するか、または処理を継続するかどうかを入力する。図３実施例では、ユーザはアドレス変更完了を確認した後入力を行ったが、この実施例ではアドレス変更完了を待たずに入力する。また、この入力は割り込みを用いて処理されるので、どの段階で入力が行われても、設定部２１はその入力を受け取ることができる。従って、図４フローチャートではユーザ入力の行程を記載していない。
【００３７】
設定部２１は行程（Ｐ４−１）でユーザの入力をチェックし、処理継続であると行程（Ｐ４−２）に進み、継続しない場合は終了する。なお、入力がない場合は処理継続とする。そして、継続する場合は工程（Ｐ４−２）で通信部２２はアドレス記憶部２３に格納されているアドレスを用いて計測機器１２と再接続を試み、工程（Ｐ４−３）で再接続が成功したか否かを判断する。変更したアドレスが有効になっていないと再接続は失敗するので、この場合は工程（Ｐ４−１）に戻ってユーザの入力が継続であるかどうかをチェックする行程を繰り返す。計測機器１２の変更されたアドレスが有効になると再接続は成功するので、工程（Ｐ３−１０）に移行する。このようにすると、ユーザはアドレスが有効になったチェックする必要がないので、操作が簡単になる。
【図面の簡単な説明】
【００３８】
【図１】本発明の一実施例を示す構成図である。
【図２】本発明の一実施例の動作を示す動作図である。
【図３】本発明の一実施例の動作を示すフローチャートである。
【図４】本発明の他の実施例の動作を示すフローチャートである。
【図５】従来の計測機器の設定アプリケーションの構成図である。
【図６】従来の計測機器の設定アプリケーションの動作を表すフローチャートである。
【符号の説明】
【００３９】
１２  計測機器
２０  計測機器設定アプリケーション
２１  設定部
２２  通信部
２３  アドレス記憶部
【図１】
0005105163.tif 000002
【図２】
0005105163.tif 000003
【図３】
0005105163.tif 000004
【図４】
0005105163.tif 000005
【図５】
0005105163.tif 000006
【図６】
0005105163.tif 000007